(57)【特許請求の範囲】
【請求項１】
水溶性薬剤を収容した容器本体の底部に、該容器本体内に水を取り込む機能及び前記水溶性薬剤が溶け込んだ水を排出する機能を備えた開口部が設けられた薬剤容器において、
前記底部を下方に突出した断面円弧状に形成し、当該底部に複数の小孔を設けて前記開口部を構成する一方、
前記底部における底部中心の外周部に上方へ向けて後退した凹部を設定して該凹部に設けられた前記小孔に水を案内する導水構造を構成したことを特徴とする薬剤容器。
【請求項２】
水溶性薬剤を収容した容器本体の底部に、該容器本体内に水を取り込む機能及び前記水溶性薬剤が溶け込んだ水を排出する機能を備えた開口部が設けられた薬剤容器において、
前記底部を下方に突出した断面円弧状に形成し、当該底部に複数の小孔を設けて前記開口部を構成する一方、
前記底部における底部中心の外周部に上方へ向けて後退した凹部を設定して該凹部に設けられた前記小孔に水を案内する導水構造を構成するとともに、前記凹部の中心より前記底部中心側に下方へ向けて延出する邪魔板部を設けて該邪魔板部より外側に配置された前記凹部内の前記小孔への水の浸入を促進する促進構造を構成したことを特徴とする薬剤容器。
【請求項３】
前記底部に下方へ向けて延出した複数の延出部を当該底部の底部中心を包囲するように配設し、前記各延出部を貯水タンクの通水穴に挿入して位置決め可能に構成するとともに、前記各延出部で包囲された前記底部の包囲領域に前記小孔を複数配置したことを特徴とする請求項１又は２記載の薬剤容器。
【発明の詳細な説明】
【技術分野】
【０００１】
本発明は、水溶性薬剤を収容する薬剤容器に関する。
【背景技術】
【０００２】
従来、トイレにおいて、貯水タンクに配置して使用する芳香洗浄器が知られている（例えば、特許文献１から特許文献３参照。）。
【０００３】
この芳香洗浄器は、薬剤容器と、該薬剤容器内に収容された薬剤とによって構成されている。前記薬剤容器は、上容器と下容器とによって構成されており、前記上容器を着脱することで、固形状の水溶性薬剤を交換可能に収容できるように構成されている。
【０００４】
前記下容器には、開口部が開設されており、この開口部は、トイレ洗浄時に手洗い用カランから供給された水を前記薬剤容器内に取り込む機能と、前記水溶性薬剤が溶け込んだ水を排出する機能とを果たすように構成されている。また、この下容器は、前記開口部からの水の取り入れ効率を高める為に様々な工夫がなされており、当該開口部は、可能な限り大径に形成されている。
【０００５】
一方、前記下容器の底面には、下方に延出した延出部が中央部に複数設けられており、各延出部は、底面中央部を包囲するように構成されている。この底面中央部には、単一の大径穴が設けられており、当該大径穴は、専ら前記水溶性薬剤が溶け込んだ水を、前記延出部が挿入された前記貯水タンクの通水穴を介して、当該貯水タンク内に供給する機能を果たすように構成されている。
【先行技術文献】
【特許文献】
【０００６】
【特許文献１】特開平８−１３４９８０公報
【特許文献２】特開２００４−３２４４１０公報
【特許文献３】特開２０１０−０５９７８５公報
【発明の概要】
【発明が解決しようとする課題】
【０００７】
しかしながら、このような従来の薬剤容器にあっては、薬剤容器内への水の取り込みを容易とする為に、前記開口部は可能な限り大径に設定されている。
【０００８】
このため、前記水溶性薬剤が溶解して縮小した際に、比較的大きなかたまりで前記開口部を介して落下することも考えられる。
【０００９】
特に、溶解して縮小した水溶性薬剤は、前記下容器において、最も低位置となる底面中央に移動し易く、この底面中央に開設された大径穴から貯水タンクの通水穴を介して、当該貯水タンク内に落ちる恐れがあった。塊状でタンク内に落下することにより、タンクの排水口を塞いでしまったり、排水口のゴムフロート弁と排水口との間に挟まり、水が流れっぱなしになってしまうといった問題が生ずる虞もある。
【００１０】
本発明は、このような従来の課題に鑑みてなされたものであり、容器内への導水性を確保しつつ、薬剤の落下に起因した不具合を未然に防止することができる薬剤容器を提供することを目的とするものである。
【課題を解決するための手段】
【００１１】
前記課題を解決するために本発明の請求項１の薬剤容器にあっては、水溶性薬剤を収容した容器本体の底部に、該容器本体内に水を取り込む機能及び前記水溶性薬剤が溶け込んだ水を排出する機能を備えた開口部が設けられた薬剤容器において、前記底部を下方に突出した断面円弧状に形成し、当該底部に複数の小孔を設けて前記開口部を構成する一方、前記底部における底部中心の外周部に上方へ向けて後退した凹部を設定して該凹部に設けられた前記小孔に水を案内する導水構造を構成した。
【００１２】
すなわち、容器本体内への水の取り込み及び排出を行う開口部は、底部に設けられた複数の小孔で構成されている。このため、溶解した水溶性薬剤の比較的大きな状態での開口部からの不用意な落下が防止される。
【００１３】
このとき、前記開口部を複数の小孔で構成することで、当該開口部から容器本体内への水の取り込み効率の低下が懸念される。
【００１４】
ここで、前記底部は、下方に突出した断面円弧状に形成されており、外周部が上方へ向けて傾斜するように構成されている。
【００１５】
また、前記底部中心の外周部、すなわち上方へ向けて傾斜した当該外周部には、上方へ向けて後退した凹部が形成されており、前記底部の外周部に貯留した水は、この後退した凹部に集められる。
【００１６】
これにより、この凹部に設けられた前記小孔に水を案内する導水構造が構成されており、前記底部の外周部に貯留した水は、前記凹部に集められ、当該凹部に設けられた前記小孔から内部へ導かれる。
【００２３】
さらに、請求項２の薬剤容器にあっては、水溶性薬剤を収容した容器本体の底部に、該容器本体内に水を取り込む機能及び前記水溶性薬剤が溶け込んだ水を排出する機能を備えた開口部が設けられた薬剤容器において、前記底部を下方に突出した断面円弧状に形成し、当該底部に複数の小孔を設けて前記開口部を構成する一方、前記底部における底部中心の外周部に上方へ向けて後退した凹部を設定して該凹部に設けられた前記小孔に水を案内する導水構造を構成するとともに、前記凹部の中心より前記底部中心側に下方へ向けて延出する邪魔板部を設けて該邪魔板部より外側に配置された前記凹部内の前記小孔への水の浸入を促進する促進構造を構成した。
【００２４】
すなわち、容器本体内への水の取り込み及び排出を行う開口部は、底部に設けられた複数の小孔で構成されている。このため、溶解した水溶性薬剤の比較的大きな状態での開口部からの不用意な落下が防止される。
【００２５】
このとき、前記開口部を複数の小孔で構成することで、当該開口部から容器本体内への水の取り込み効率の低下が懸念される。
【００２６】
ここで、前記底部は、下方に突出した断面円弧状に形成されており、外周部が上方へ向けて傾斜するように構成されている。
【００２７】
また、前記底部中心の外周部、すなわち上方へ向けて傾斜した当該外周部には、上方へ向けて後退した凹部が形成されており、前記底部の外周部に貯留した水は、この後退した凹部に集められる。
【００２８】
これにより、この凹部に設けられた前記小孔に水を案内する導水構造が構成されており、前記底部の外周部に貯留した水は、前記凹部に集められ、当該凹部に設けられた前記小孔から内部へ導かれる。
【００２９】
そして、前記底部中心より外側であって前記凹部の中心より底部中心側の部位には、下方へ向けて延出する邪魔板部が設けられており、該邪魔板部より外側に配置された前記小孔への水の浸入を促進する促進構造が構成されている。
【００３０】
このため、前記底部の外周部に貯留した水の底部中心側への流れは、前記邪魔板部によって阻止され、前記邪魔板より外側であって上方へ向けて傾斜した部位に開設された前記凹部内の前記小孔からの水の浸入が促進される。
【００３１】
また、請求項３の薬剤容器においては、前記底部に下方へ向けて延出した複数の延出部を当該底部の底部中心を包囲するように配設し、前記各延出部を貯水タンクの通水穴に挿入して位置決め可能に構成するとともに、前記各延出部で包囲された前記底部の包囲領域に前記小孔を複数配置した。
【００３２】
すなわち、前記底部には、下方へ向けて延出した複数の延出部が当該底部中心を包囲するように配設されており、各延出部を貯水タンクの通水穴に挿入することで、当該容器本体を位置決めでき、不用意な移動や転倒が防止される。
【００３３】
そして、前記各延出部で包囲された前記底部の包囲領域には、前記小孔が複数配置されている。このため、底部において、最も低位置に複数の小孔が配置されることで、水溶性薬剤が溶け込んだ水は、前記延出部が挿入された前記通水穴を介して、前記貯水タンクに直接供給される。
【００３４】
このとき、前記包囲領域内の開口部は、複数の前記小孔で構成されている。このため、前記包囲領域内に単一の大径穴を設けた場合と比較して、溶解して縮小した水溶性薬剤の比較的大きな状態での前記貯水タンクへの落下が防止される。
【発明の効果】
【００３５】
以上説明したように本発明の請求項１の薬剤容器にあっては、容器本体内への水の取り込み及び排出を行う開口部を底部に設けられた複数の小孔で構成したので、溶解した水溶性薬剤の比較的大きな状態での開口部からの不用意な落下を防止することができる。
【００３６】
これにより、前記水溶性薬剤の落下に起因した不具合を未然に防止することができる。
【００３７】
このとき、前記開口部を複数の小孔で構成することで、当該開口部から容器本体内への水の取り込み効率の低下が懸念される。
【００３８】
しかし、前記底部は、下方に突出した断面円弧状に形成されており、外周部が上方へ向けて傾斜するように構成されている。また、前記底部中心の外周部、すなわち上方へ向けて傾斜した当該外周部には、上方へ向けて後退した凹部が形成されており、前記底部の外周部に貯留した水を、この後退した凹部に集めることができる。そして、この凹部に集められた水を、当該凹部に設けられた前記小孔から内部へ導くことができる。
【００３９】
したがって、前記容器本体内への導水性の確保と、前記水溶性薬剤の不用意な落下に起因した不具合防止とを両立することができる。
【００４６】
さらに、請求項２の薬剤容器にあっては、容器本体内への水の取り込み及び排出を行う開口部を底部に設けられた複数の小孔で構成したので、溶解した水溶性薬剤の比較的大きな状態での開口部からの不用意な落下を防止することができる。
【００４７】
これにより、前記水溶性薬剤の落下に起因した不具合を未然に防止することができる。
【００４８】
このとき、前記開口部を複数の小孔で構成することで、当該開口部から容器本体内への水の取り込み効率の低下が懸念される。
【００４９】
しかし、前記底部は、下方に突出した断面円弧状に形成されており、外周部が上方へ向けて傾斜するように構成されている。また、前記底部中心の外周部、すなわち上方へ向けて傾斜した当該外周部には、上方へ向けて後退した凹部が形成されており、前記底部の外周部に貯留した水を、この後退した凹部に集めることができる。そして、この凹部に集められた水を、当該凹部に設けられた前記小孔から内部へ導くことができる。
【００５０】
そして、前記底部中心より外側であって前記凹部の中心より底部中心側の部位には、下方へ向けて延出する邪魔板部が設けられており、該邪魔板部より外側に配置された前記小孔への水の浸入を促進する促進構造が構成されている。
【００５１】
このため、前記底部の外周部に貯留した水の底部中心側への流れを、前記邪魔板部によって阻止することができ、前記邪魔板より外側であって上方へ向けて傾斜した部位に開設された前記凹部内の前記小孔からの水の浸入を促進することができる。
【００５２】
したがって、前記容器本体内への導水性の確保と、前記水溶性薬剤の不用意な落下に起因した不具合防止とを両立することができる。
【００５３】
また、請求項３の薬剤容器においては、前記底部に下方へ向けて延出した複数の延出部が底部中心を包囲するように配設されており、各延出部を貯水タンクの通水穴に挿入することで、当該容器本体を位置決めでき、不用意な移動や転倒を防止することができる。
【００５４】
そして、前記各延出部で包囲された前記底部の包囲領域には、前記小孔が複数配置されている。このため、底部において、最も低位置に複数の小孔が配置されることで、水溶性薬剤が溶け込んだ水を、前記延出部が挿入された前記通水穴を介して、前記貯水タンクに直接供給することができる。
【００５５】
このとき、前記包囲領域内の開口部は、複数の前記小孔で構成されている。このため、前記包囲領域内に単一の大径穴を設けた場合と比較して、溶解して縮小した水溶性薬剤の比較的大きな状態での前記貯水タンクへの落下を防止することができる。
【００５６】
これにより、比較的大きな水溶性薬剤が前記貯水タンクへの落下した場合に生じ得る問題の発生を未然に防止することができる。
【図面の簡単な説明】
【００５７】
【図１】本発明の一実施の形態を示す図で、（ａ）は下容器の正面図であり、（ｂ）は、下容器の側面図である。
【図２】同実施の形態を示す図で、（ａ）は下容器の平面図であり、（ｂ）は、下容器の底面図である。
【発明を実施するための形態】
【００５８】
以下、本発明の一実施の形態を図に従って説明する。
【００５９】
図１は、本実施の形態にかかる薬剤容器１を示す図であり、該薬剤容器１は、トイレで使用されるものである。
【００６０】
すなわち、トイレには、水洗用の水を貯留する貯水タンク１１が設けられており、該貯水タンク１１の天部には、手洗い用の手洗い部１２が設けられている。該手洗い部１２には、手洗い用のカランが設けられており（図示省略）、前記貯水タンク１１に設けられた水洗レバーを操作時に、前記カランから水が供給されるように構成されている。このカランから供給された供給水は、前記手洗い部１２で受けられ、該手洗い部１２に沿って流れるとともに、当該手洗い部１２に設けられた円形の通水口１３を介して前記貯水タンク１１内に貯留されるように構成されている。
【００６１】
前記薬剤容器１は、容器本体２１によって構成されており、該容器本体２１には、固形状の水溶性薬剤２２が収容されている。該水溶性薬剤２２は、芳香機能を有した芳香成分と、便器の洗浄機能を有した洗浄成分とを含有しており、前記芳香成分を揮散するように構成されている。また、前記水溶性薬剤は、前記カランからの供給水で溶解して前記洗浄成分を前記供給水に溶出するように構成されており、当該供給水が前記貯水タンク１１より便器へ流される際に当該便器を洗浄できるように構成されている。
【００６２】
前記容器本体２１には、下部を構成する下容器３１と、上部を構成する上容器３２とによって構成されており、両容器３１，３２は嵌合した状態で結合されている。また、両容器３１，３２は、この嵌合状態を解除することで開放できるように構成されており、前記水溶性薬剤２２を当該容器本体２１内に交換可能に収容できるように構成されている。
【００６３】
前記上容器３２は、下側を形成する胴部４１と、上側を形成する頭部４２とによって構成されている。前記胴部４１は、下方へ向けて開口した横断面楕円形状を成す半球容器状に形成されており、その外周面の下縁には、薄肉の内嵌部が形成されている。これにより、当該内嵌部を、前記下容器３１に内嵌することで、該下容器３１と前記上容器３２とを分離可能に連結できるように構成されている。
【００６４】
前記頭部４２は、前記胴部４１の上部中央部より上方へ向けて起立した円筒状の起立部５１と、該起立部５１の上部開口部を閉鎖する屋根部５２とによって構成されており、該屋根部５２と前記起立部５１とで包囲された空間は、前記胴部４１内に連通するように構成されている。
【００６５】
前記起立部５１には、当該上容器３２の側方へ向けて開口してスリット状の側方開口部６１，・・・が等間隔をおいた四ヶ所に形成されており、各側方開口部６１，・・・によって前記水溶性薬剤２２が溶解した際に、当該水溶性薬剤２２から揮散した芳香成分を放出できるように構成されている。
【００６６】
前記屋根部５２は、矩形状に形成されており、中央へ向かうに従って上方へ突出した球面状に形成されている。この屋根部５２の周縁部は、前記起立部５１より側方へ突出するように構成されており、当該屋根部５２の周縁部は、前記カランからの供給水の前記側方開口部６１，・・・からの浸入を防止する庇部７１を構成している。
【００６７】
前記下容器３１は、上方へ向けて開口した横断面楕円形状を成す半球容器状に形成されており、その外周面の上縁には、図２に示すように、薄肉の外嵌部８１が形成されている。該外嵌部８１には、内側に突出した係止部８２，・・・が四ヶ所に形成されており、当該外嵌部８１を、前記上容器３２の内嵌部に外嵌した状態で、前記係止部８２，・・・を前記上容器３２の内嵌部に係止できるように構成されている。
【００６８】
この下容器３１が構成する当該容器本体２１の底部９１は、図１に示したように、下方に突出した断面円弧状に形成されており、上方へ向かうに従って側方へ膨出した曲面状に形成されている。
【００６９】
この底部９１は、下部を構成する下部構成部１０１と上部を構成する上部構成部１０２とによって構成されており、前記下部構成部１０１は、比較的緩やかなカーブで構成された球面状に形成されている。これにより、図１及び図２に示したように、円錐台形状の前記水溶性薬剤２２を当該下部構成部１０１上に載置できるように構成されている。
【００７０】
前記上部構成部１０２は、図１に示したように、前記下部構成部１０１より急なカーブで構成された球面状に形成されており、該下部構成部１０１の周縁より側方へ向かうに従って徐々に起立するように構成されている。この下部構成部１０１の上縁部には、長さの異なる三本の凸条部１１１，・・・が前部及び後部に形成されており、この下容器３１から前記上容器３２を離脱する際に、当該下容器３１を弾性変形して前記係止部８２，・・・による係合状態を解除する為の滑り止め１１２が前記各凸条部１１１，・・・によって構成されている。
【００７１】
前記底部９１には、図１及び図２に示したように、当該容器本体２１内に水を取り込む機能及び前記水溶性薬剤が溶け込んだ水を排出する機能を備えた開口部が設けられている。
【００７２】
すなわち、前記底部９１には、図２に示したように、複数の小孔１２１，・・・が網目状に開設されており、各小孔１２１，・・・によって前記開口部が構成されている。各小孔１２１，・・・は、正方形状に形成されており、縦横に配列されている。
【００７３】
この底部９１の中心である底部中心１３１の外周部には、上方へ向けて後退した凹部が形成されており、該凹部に設けられた前記小孔１２１，・・・に水を案内する導水構造が形成されている。
【００７４】
具体的に説明すると、図２に示したように、前記底部中心１３１より右側の部位には、上方へ向けて後退した横長楕円形状の右凹部１４１が形成されており、該右凹部１４１は、前記下部構成部１０１から前記上部構成部１０２に渡って形成されている。また、前記底部中心１３１より左側の部位には、上方へ向けて後退した横長楕円形状の左凹部１４２が形成されており、該左凹部１４２も、前記下部構成部１０１から前記上部構成部１０２に渡って形成されている。
【００７５】
そして、前記底部中心１３１より前側の部位には、上方へ向けて後退した横長楕円形状の前凹部１５１が形成されており、該前凹部１５１は、前記下部構成部１０１から前記上部構成部１０２に渡って形成されている。また、前記底部中心１３１より後側の部位には、上方へ向けて後退した横長楕円形状の後凹部１５２が形成されており、該後凹部１５２も前記下部構成部１０１から前記上部構成部１０２に渡って形成されている。
【００７６】
これにより、前記下容器３１の前記下部構成部１０１には、上方に膨出した膨出部を前記各凹部１４１，１４２，１５１，１５２で構成することができ、底面が平坦面で構成された前記水溶性薬剤２２を前記下部構成部１０１から浮かせた状態で支持できるように構成されている。
【００７７】
前記各凹部１４１，１４２，１５１，１５２内には、前記小孔１２１，・・・が複数形成されており、各凹部内１４１，１４２，１５１，１５２の小孔１２１，・・・のうち容器本体２１外周側に配列された小孔１２１，・・・は、前記底部構成部１０１より上方へ起立した前記上部構成部１０２に設定されている。これにより、これら外周側に配列された小孔１２１，・・・は、図１に示したように、当該容器本体２１の側方へ向けて開口するように構成されている。
【００７８】
前記前凹部１５１及び前記後凹部１５２によって、図１の（ａ）に示したように、各凹部１５１，１５２と前記手洗い部１２との間に間隙を確実に確保することができ、前記底部９１の前部側及び後部側に、各凹部１５１，１５２に設けられた前記小孔１２１，・・・に水を案内する導水構造１６１，１６１が形成されている（前部側のみ図示）。また、前記左凹部１４２及び前記右凹部１４１によって、図１の（ｂ）に示したように、各凹部１４１，１４２と前記手洗い部１２との間に確実に間隙を確保することができ、前記底部９１の左側及び右側に、各凹部１４１，１４２に設けられた前記小孔１２１，・・・に水を案内する導水構造１６１，１６１が形成されている（右側のみ図示）。
【００７９】
前記前凹部１５１の中心より前記底部中心１３１側の部位には、図２の（ａ）に示したように、前記小孔１２１，・・・を不具備な前不具備部１７１が設定されており、前記後凹部１５２の中心より前記底部中心１３１側の部位には、前記小孔１２１，・・・を不具備な後不具備部１７２が設定されている。前記左凹部１４２の中心より前記底部中心１３１側の部位には、前記小孔１２１，・・・を不具備な左不具備部１７３が設定されており、前記右凹部１４１の中心より前記底部中心１３１側の部位には、前記小孔１２１，・・・を不具備な右不具備部１７４が設定されている。
【００８０】
前記前不具備部１７１の裏側には、図１の（ａ）及び図２の（ｂ）に示したように、下方へ向けて延出する半円板状の前邪魔板部１８１が設けられており、該前邪魔板部１８１は、前記前凹部１５１の中心より前記底部中心１３１に設定されている。前記後不具備部１７２の裏側にも、図２の（ｂ）に示したように、下方へ向けて延出する半円板状の後邪魔板部１８２が設けられており、該後邪魔板部１８２は、前記後凹部１５２の中心より前記底部中心１３１側に設定されている。
【００８１】
また、前記左不具備部１７３の裏側には、図２の（ｂ）に示したように、下方へ向けて延出する半円板状の左邪魔板部１９１が設けられており、該左邪魔板部１９１は、前記左凹部１４２の中心より前記底部中心１３１に設定されている。前記右不具備部１７４の裏側にも、図１の（ｂ）及び図２の（ｂ）に示したように、下方へ向けて延出する半円板状の右邪魔板部１９２が設けられており、該右邪魔板部１９２は、前記右凹部１４１の中心より前記底部中心１３１に設定されている。
【００８２】
これにより、前記各邪魔板部１８１，１８２，１９１，１９２より容器本体２１外側に配置された前記各凹部１４１，１４２，１５１，１５２内の前記小孔１２１，・・・への水の浸入を促進する促進構造２０１，・・・が四方に形成されている。
【００８３】
また、前記底部９１の中心部には、図２の（ａ）に示したように、前記小孔１２１，・・・を不具備な中心側不具備部２１１，・・・が三箇所に設定されており、各中心側不具備部２１１，・・・は、前記底部中心１３１を包囲するように等間隔をおいて設定されている。
【００８４】
これらの中心側不具備部２１１，・・・の裏側には、図１及び図２の（ｂ）に示したように、下方へ向けて延出した延出部２２１，・・・が設けられている。各延出部２２１，・・・は、横断面円弧状の板状に形成されており、これら三本の延出部２２１，・・・は、前記底部中心１３１を包囲するとともに、所定径の円内の収まる位置に配置されている。
【００８５】
これにより、前記各延出部２２１，・・・は、図１の（ａ）に示すように、前記貯水タンク１１の前記通水穴１３に挿入できるように構成されており、前記各延出部２２１，・・・を、前記通水穴１３に挿入した状態で、当該容器本体２１を、前記貯水タンク１１の前記手洗い部１２に位置決めできるように構成されている。
【００８６】
また、図２に示したように、これら延出部２２１，・・・で包囲された前記底部９１の包囲領域２３１にも、四つの前記小孔１２１，・・・が配置されており、各小孔１２１，・・・の内径寸法は、前記各延出部２２１，・・・による前記包囲領域２３１、すなわち前記通水穴１３より十分に小さなサイズに設定されている。
【００８７】
そして、前記底部９１には、図１及び図２の（ｂ）に示したように、半円形状の脚部２４１，・・・が前記各凹部１４１，１４２，１５１，１５２間に設けられており、各脚部２４１，・・・は、当該容器本体２１を前記貯水タンク１１にセットした状態で、前記手洗い部１２に当接して、該手洗い部１２と前記底部９１との間に間隙を形成できるように構成されている。
【００８８】
以上の構成にかかる本実施において、前記容器本体２１内への水の取り込み及び排出を行う開口部は、前記底部９１に設けられた複数の小孔１２１，・・・で構成されている。このため、溶解した水溶性薬剤２２の比較的大きな状態での開口部からの不用意な落下を防止することができる。
【００８９】
これにより、前記水溶性薬剤２２の落下に起因した不具合を未然に防止することができる。
【００９０】
このとき、前記開口部を複数の小孔１２１，・・・で構成することで、当該開口部から容器本体２１内への水の取り込み効率の低下が懸念される。
【００９１】
ここで、本実施の形態では、前記底部９１が下方に突出した断面円弧状に形成されており、外周部が上方へ向けて傾斜するように構成されている。
【００９２】
また、底部中心１３１の外周部、すなわち上方へ向けて傾斜した当該外周部には、上方へ向けて後退した各凹部１４１，１４２，１５１，１５２が形成されており、前記底部９１の外周部に貯留した水を、この後退した各凹部１４１，１４２，１５１，１５２に集めることができる。
【００９３】
これにより、前記各凹部１４１，１４２，１５１，１５２に設けられた前記小孔１２１，・・・に水を案内する導水構造１６１，・・・が構成されており、前記底部９１の外周部に貯留した水を、前記各凹部１４１，１４２，１５１，１５２に集め、各凹部１４１，１４２，１５１，１５２に設けられた前記小孔１２１，・・・から内部へ導くことができる。
【００９４】
そして、前記底部中心１３１より外側であって前記各凹部１４１，１４２，１５１，１５２の中心より前記底部中心１３１側の部位には、下方へ向けて延出する各邪魔板部１８１，１８２，１９１，１９２が設けられており、各邪魔板部１８１，１８２，１９１，１９２より外側に配置された前記小孔１２１，・・・への水の浸入を促進する促進構造２０１，・・・が構成されている。
【００９５】
このため、前記底部９１の外周部に貯留した水の前記底部中心１３１側、すなわち前記通水穴１３への流れを前記各邪魔板部１８１，１８２，１９１，１９２によって阻止することができ、各邪魔板１８１，１８２，１９１，１９２より外側であって上方へ向けて傾斜した部位に開設された前記各凹部１４１，１４２，１５１，１５２内の前記小孔１２１，・・・からの水の浸入を促進することができる。
【００９６】
したがって、前記容器本体２１内への導水性の確保と、前記水溶性薬剤２２の不用意な落下に起因した不具合防止とを両立することができる。
【００９７】
そして、前記底部９１には、下方へ向けて延出した三本の延出部２２１，・・・が前記底部中心１３１を包囲するように配設されており、各延出部２２１，・・・を前記貯水タンク１１の前記通水穴１３に挿入することで、当該容器本体２１を位置決めでき、給水時での不用意な移動や転倒を防止することができる。
【００９８】
そして、前記各延出部２２１，・・・で包囲された前記底部９１の包囲領域２３１には、前記小孔１２１，・・・が複数配置されている。このため、この底部９１において、最も低位置に複数の小孔１２１，・・・が配置されることで、前記水溶性薬剤２２が溶け込んだ水を、前記延出部２２１，・・・が挿入された前記通水穴１３を介して、前記貯水タンク１１に直接供給することができる。
【００９９】
このとき、前記包囲領域２３１内の開口部は、複数の前記小孔１２１，・・・で構成されている。このため、前記包囲領域２３１内に単一の大径穴を設けた場合と比較して、溶解して縮小した水溶性薬剤２２の比較的大きな状態での前記貯水タンク１１への落下を防止することができる。
【０１００】
これにより、比較的大きな水溶性薬剤２２が前記貯水タンク１１への落下した場合に生じ得る問題の発生を未然に防止することができる。
【符号の説明】
【０１０１】
１    薬剤容器
１１    貯水タンク
１３    通水穴
２１    容器本体
２２    水溶性薬剤
９１    底部
１２１    小孔
１３１    底部中心
１４１    右凹部
１４２    左凹部
１５１    前凹部
１５２    後凹部
１６１    導水構造
１８１    前邪魔板
１８２    後邪魔板
１９１    左邪魔板
１９２    右邪魔板
２０１    促進構造
２２１    延出部
２３１    包囲領域
【図１】
0005723681.tif 000002
【図２】
0005723681.tif 000003